(57)【要約】【課題】有価媒体の輸送時に適切な情報を表示すること。【解決手段】売上金入金機１００に集められた店舗の売上金を回収カセット１４０に入れて回収し、回収カセット１４０を警送会社の輸送担当者が輸送する。輸送先の現金センタでは、回収カセット１４０は貨幣処理装置２００に装着され、貨幣処理装置２００は回収カセット１４０から貨幣を繰り出して計数する。回収カセット１４０は、表示部を有し、状況に応じて表示する項目を選択し、表示の態様を異ならせる。店舗においてはカセットＩＤ、店舗名、店舗担当者及び収納金額を表示し、運搬中はカセットＩＤ、店舗名、輸送担当者及び輸送先を表示する。また、計数センタでは、回収カセット１４０は、カセットＩＤ、店舗名、収納金額及び機種別枚数を表示する。【選択図】図１
2020077217.tif 000002
【特許請求の範囲】
【請求項１】
有価媒体を収納する収納部と、
前記収納部に収納された有価媒体に係る情報及び／又は前記有価媒体の輸送に係る情報を表示する表示部と、
前記表示部により表示される情報の表示態様を変更する制御部と
を備えることを特徴とする有価媒体輸送装置。
【請求項２】
操作を受け付ける操作受付部をさらに備え、
前記制御部は、前記操作受付部により受け付けた操作に基づき、表示態様を変更する
ことを特徴とする請求項１記載の有価媒体輸送装置。
【請求項３】
他の装置と接続するためのコネクタと、
前記コネクタの着脱を検知する検知部と
をさらに備え、
前記制御部は、前記検知部により前記コネクタの着脱を検知したときに、前記表示態様を変更する
ことを特徴とする請求項１記載の有価媒体輸送装置。
【請求項４】
他の装置から情報を受信する受信部をさらに備え、
前記制御部は、前記受信部によって受信した情報に基づき、表示態様を変更する
ことを特徴とする請求項１記載の有価媒体輸送装置。
【請求項５】
前記収納部に収納された有価媒体に係る情報及び／又は前記有価媒体の輸送に係る情報を記憶する記憶部と、
前記記憶部が記憶する情報に対する、他の装置からのアクセスを検知するアクセス検知部と
をさらに備え、
前記制御部は、前記アクセス検知部により前記アクセスを検知したときに、前記表示態様を変更する
ことを特徴とする請求項１記載の有価媒体輸送装置。
【請求項６】
前記制御部は、前記収納部に収納された有価媒体に係る情報及び／又は前記有価媒体の輸送に係る情報の少なくとも一部をコード化画像として表示することで、前記表示態様を変更する
ことを特徴とする請求項１記載の有価媒体輸送装置。
【請求項７】
前記収納部に収納された有価媒体に係る情報及び／又は前記有価媒体の輸送に係る情報は、前記有価媒体輸送装置を運搬する担当者、前記収納部に収納されている有価媒体の金額に係る情報 、前記有価媒体の輸送元、前記有価媒体の輸送先、前記有価媒体輸送装置の識別コード、の情報項目のうち少なくとも１以上を含み、
前記制御部は、前記表示部により表示される前記情報項目を少なくとも一部変更することで、前記表示態様を変更する
ことを特徴とする請求項１記載の有価媒体輸送装置。
【請求項８】
前記表示部は、前記収納部に収納された有価媒体に係る情報及び／又は前記有価媒体の輸送に係る情報の少なくとも一部を強調表示し、
前記制御部は、前記表示部により強調表示される箇所を少なくとも一部変更することで、前記表示態様を変更する
ことを特徴とする請求項１記載の有価媒体輸送装置。
【請求項９】
前記表示部は、着脱可能であることを特徴とする請求項１〜８記載の有価媒体輸送装置。
【請求項１０】
有価媒体を収納する収納部と、
前記収納部に収納された有価媒体に係る情報及び／又は前記有価媒体の輸送に係る情報を表示する表示部と、
前記表示部により表示される情報の表示態様を変更する制御部と
を備えることを特徴とする有価媒体輸送システム。
【請求項１１】
有価媒体を収納部に収納する収納ステップと、
前記収納部に収納された有価媒体に係る情報及び／又は前記有価媒体の輸送に係る情報を表示する表示ステップと、
前記表示ステップにより表示される情報の表示態様を変更する制御ステップと
を含むことを特徴とする有価媒体輸送方法。
【請求項１２】
有価媒体を収納する収納部を有する有価媒体輸送装置と、前記有価媒体輸送装置に対する前記有価媒体の投入及び／又は繰出を行う有価媒体処理装置とを有する有価媒体処理システムであって、
前記有価媒体輸送装置は、
前記収納部に収納された有価媒体に係る情報及び／又は前記有価媒体の輸送に係る情報を表示する表示部と、
前記有価媒体処理装置から取得される情報に基づいて、前記表示部により表示される情報の表示態様を変更する制御部と
を備えることを特徴とする有価媒体処理システム。
【発明の詳細な説明】
【技術分野】
【０００１】
本発明は、有価媒体輸送装置、有価媒体輸送システム、有価媒体輸送方法及び有価媒体処理システムに関する。
【背景技術】
【０００２】
従来、貨幣や小切手等の有価媒体の輸送方法として、有価媒体を専用の収納部に収納して輸送するシステムが知られている。例えば特許文献１には、表示器を備えた輸送カセットに売上金を収納して、前記表示器にて前記輸送カセットのＩＤコードや収納している有価媒体のトータル金額等を表示させる価値媒体輸送システムが記載されている。
【先行技術文献】
【特許文献】
【０００３】
【特許文献１】特開平１０−１８８１３１号公報
【発明の概要】
【発明が解決しようとする課題】
【０００４】
しかしながら、上記特許文献に代表される従来の技術では、画一的な表示を行うため、情報の開示を適切に制御することができないという問題点があった。
【０００５】
この点について具体的に説明する。輸送カセットは、有価媒体の持ち主、輸送カセットを運搬する警送会社、輸送カセット内の有価媒体を計数する現金センタ等、様々な人物が取り扱うことになるが、各人物に対し知らせるべき情報と知らせるべきでない情報がある。
【０００６】
例えば、警送会社のスタッフが前記表示器から輸送カセットに高額の有価媒体が収納されていると知ってしまうと、悪意を持って該輸送カセットごとそのまま盗んでしまう懸念がある。また逆に、有価媒体の金額を表示しないとなると、有価媒体の持ち主にとっては前記表示器が十分に活かされず不便なものになってしまう。
【０００７】
しかしながら、特許文献１のシステムでは、輸送カセットに設けられた表示器が表示するデータは固定されているため、知らせるべき情報と知らせるべきでない情報を状況に応じて切り替えることができないのである。
【０００８】
このため、有価媒体の輸送時に適切な情報をいかにして表示するかが重要な課題となっている。かかる課題は、有価媒体が貨幣である場合に限らず、小切手などである場合にも同様に生ずる課題である。
【０００９】
本発明は、上記従来技術の課題を解決するためになされたものであって、有価媒体の輸送時に適切な情報を表示することができる有価媒体輸送装置、有価媒体輸送システム、有価媒体輸送方法及び有価媒体処理システムを提供することを目的とする。
【課題を解決するための手段】
【００１０】
上述した課題を解決し、目的を達成するため、本発明は、有価媒体を収納する収納部と、前記収納部に収納された有価媒体に係る情報及び／又は前記有価媒体の輸送に係る情報を表示する表示部と、前記表示部により表示される情報の表示態様を変更する制御部とを備えることを特徴とする。
【００１１】
また、本発明は、上記の発明において、操作を受け付ける操作受付部をさらに備え、前記制御部は、前記操作受付部により受け付けた操作に基づき、表示態様を変更することを特徴とする。
【００１２】
また、本発明は、上記の発明において、他の装置と接続するためのコネクタと、前記コネクタの着脱を検知する検知部とをさらに備え、前記制御部は、前記検知部により前記コネクタの着脱を検知したときに、前記表示態様を変更することを特徴とする。
【００１３】
また、本発明は、上記の発明において、他の装置から情報を受信する受信部をさらに備え、前記制御部は、前記受信部によって受信した情報に基づき、表示態様を変更することを特徴とする。
【００１４】
また、本発明は、上記の発明において、前記収納部に収納された有価媒体に係る情報及び／又は前記有価媒体の輸送に係る情報を記憶する記憶部と、前記記憶部が記憶する情報に対する、他の装置からのアクセスを検知するアクセス検知部とをさらに備え、前記制御部は、前記アクセス検知部により前記アクセスを検知したときに、前記表示態様を変更することを特徴とする。
【００１５】
また、本発明は、上記の発明において、前記制御部は、前記収納部に収納された有価媒体に係る情報及び／又は前記有価媒体の輸送に係る情報の少なくとも一部をコード化画像として表示することで、前記表示態様を変更することを特徴とする。
【００１６】
また、本発明は、上記の発明において、前記収納部に収納された有価媒体に係る情報及び／又は前記有価媒体の輸送に係る情報は、前記有価媒体輸送装置を運搬する担当者、前記収納部に収納されている有価媒体の金額に係る情報 、前記有価媒体の輸送元、前記有価媒体の輸送先、前記有価媒体輸送装置の識別コード、の情報項目のうち少なくとも１以上を含み、前記制御部は、前記表示部により表示される前記情報項目を少なくとも一部変更することで、前記表示態様を変更することを特徴とする。
【００１７】
また、本発明は、上記の発明において、前記表示部は、前記収納部に収納された有価媒体に係る情報及び／又は前記有価媒体の輸送に係る情報の少なくとも一部を強調表示し、前記制御部は、前記表示部により強調表示される箇所を少なくとも一部変更することで、前記表示態様を変更することを特徴とする。
【００１８】
また、本発明は、上記の発明において、前記表示部は、着脱可能であることを特徴とする。
【００１９】
また、本発明は、有価媒体を収納する収納部と、前記収納部に収納された有価媒体に係る情報及び／又は前記有価媒体の輸送に係る情報を表示する表示部と、前記表示部により表示される情報の表示態様を変更する制御部とを備えることを特徴とする。
【００２０】
また、本発明は、有価媒体を収納部に収納する収納ステップと、前記収納部に収納された有価媒体に係る情報及び／又は前記有価媒体の輸送に係る情報を表示する表示ステップと、前記表示ステップにより表示される情報の表示態様を変更する制御ステップとを含むことを特徴とする。
【００２１】
また、本発明は、有価媒体を収納する収納部を有する有価媒体輸送装置と、前記有価媒体輸送装置に対する前記有価媒体の投入及び／又は繰出を行う有価媒体処理装置とを有する有価媒体処理システムであって、前記有価媒体輸送装置は、前記収納部に収納された有価媒体に係る情報及び／又は前記有価媒体の輸送に係る情報を表示する表示部と、前記有価媒体処理装置から取得される情報に基づいて、前記表示部により表示される情報の表示態様を変更する制御部とを備えることを特徴とする。
【発明の効果】
【００２２】
本発明によれば、有価媒体の輸送時に適切な情報を表示することができる。
【図面の簡単な説明】
【００２３】
【図１】図１は、本実施例に係る有価媒体処理システムの概念を説明するための説明図である。
【図２】図２は、売上金入金機の外観を示す斜視図である。
【図３】図３は、図２に示した売上金入金機における紙幣処理ユニットの内部構成を示す図である。
【図４】図４は、図２に示した売上金入金機における硬貨処理ユニットの内部構成を示す図である。
【図５】図５は、回収カセットの外観構成を示す外観構成図である。
【図６】図６は、回収カセットの機能構成を示す機能ブロック図である。
【図７】図７は、情報項目と表示設定の具体例の説明図である。
【図８】図８は、表示態様の変更の条件についての説明図である。
【図９】図９は、表示の具体例についての説明図である。
【図１０】図１０は、回収カセットの処理手順を示すフローチャートである。
【発明を実施するための形態】
【００２４】
以下、添付図面を参照して、本発明に係る有価媒体輸送装置、有価媒体輸送システム、有価媒体輸送方法及び有価媒体処理システムの好適な実施例を詳細に説明する。
【実施例】
【００２５】
＜有価媒体処理システムの概念＞
まず、本実施例に係る有価媒体処理システムの概念について説明する。図１は、本実施例に係る有価媒体処理システムの概念を説明するための説明図である。図１に示す有価媒体処理システムでは、売上金入金機１００に集められた店舗の売上金を回収カセット１４０に入れて回収し、回収カセット１４０を警送会社の輸送担当者が輸送する。輸送先の現金センタでは、回収カセット１４０は貨幣処理装置２００に装着され、貨幣処理装置２００は回収カセット１４０から貨幣を繰り出して計数する。
【００２６】
ここで、店舗とは、スーパーマーケットやコンビニエンスストア等の商業施設である。また、回収カセット１４０は、有価媒体である貨幣を内部に収納し、回収カセット１４０ごと輸送可能とする輸送カセットであり、特許請求の範囲における有価媒体輸送装置に対応する。
【００２７】
店舗に設置された売上金入金機１００は、回収カセット１４０を装着可能であり、店舗の売上金としての貨幣を回収カセット１４０に投入して入金処理することができる。同様に、現金センタに設置された貨幣処理装置２００は、回収カセット１４０を装着可能であり、回収カセット１４０から貨幣を繰り出す出金処理を行い、出金した貨幣を計数することができる。すなわち、売上金入金機１００と貨幣処理装置２００とは、特許請求の範囲における有価媒体処理装置に対応する。
【００２８】
回収カセット１４０は、表示部が設けられており、収納された貨幣に係る情報や輸送に係る情報などを表示することができる。詳細については後述するが、表示される情報項目は、回収カセット１４０を一意に特定する識別情報であるカセットＩＤ、店舗名、店舗で回収カセット１４０を取り扱う店舗担当者、収納された金額、収納された貨幣の金種別の枚数、輸送を担当する輸送担当者、輸送先などである。
【００２９】
回収カセット１４０は、店舗担当者、輸送担当者、現金センタで回収カセット１４０を取り扱う店舗担当者など、所属や業務の異なる複数の人物によって取り扱われるが、これらの人物に画一的に情報を開示することは不適切である。例えば、収納金額は店舗担当者にとっては重要な情報項目であるが、輸送担当者には収納金額を開示すべきでは無い。収納金額が高額であることを認識した輸送担当者が不正を働くなど、不要な情報の開示はリスクを生ずるからである。
【００３０】
そこで、回収カセット１４０は、表示部における表示態様を状況に応じて変更する。図１に示すように、回収カセット１４０は、店舗においてはカセットＩＤ、店舗名、店舗担当者及び収納金額を表示し、運搬中はカセットＩＤ、店舗名、輸送担当者及び輸送先を表示する。また、計数センタでは、回収カセット１４０は、カセットＩＤ、店舗名、収納金額及び機種別枚数を表示する。このように、情報項目について表示の有無を変更する他、特定の情報項目を強調表示したり、コード化して表示する等の表示態様の変更も可能である。表示態様の変更は、特定の操作の受付、他の装置との着脱状態、他の装置からの情報の受信、回収カセット１４０が有する記憶部へのアクセスなどを検知して行う。この表示態様の変更の条件については後述する。
【００３１】
このように、回収カセット１４０は、収納された貨幣に係る情報や貨幣の輸送に係る情報を表示する表示部と備え、表示部により表示される情報の表示態様を変更する。このため、有価媒体の輸送時に適切な情報を表示することができる。
【００３２】
＜装置の構成＞
次に、売上金入金機１００の構成について図２〜図４を用いて説明する。図２等に示すように、本実施例に係る売上金入金機１００は、略直方体形状の筐体１０１を備えており、この筐体１０１の内部には、紙幣の入金処理及び出金処理を行う紙幣処理ユニット１１０、硬貨の入金処理及び出金処理を行う硬貨処理ユニット１５０、及び包装硬貨（同一金種の硬貨を一定枚数（例えば、２０枚や５０枚）だけ棒状にまとめてフィルムや包装紙等により包装したもの）を収納する包装硬貨収納ユニット１８０がそれぞれ収容されている。図２に示すように、紙幣処理ユニット１１０及び硬貨処理ユニット１５０は、売上金入金機１００を手前側から見て左右に並ぶよう配置されており、これらの紙幣処理ユニット１１０及び硬貨処理ユニット１５０の下方に包装硬貨収納ユニット１８０が配置されている。
【００３３】
図２及び図３に示すように、紙幣処理ユニット１１０は、筐体１０１の前面側の右側領域に設けられた紙幣受入部１２０と、筐体１０１の前面側において紙幣受入部１２０の下方に設けられた紙幣払出部１２２と、筐体１０１の内部で紙幣を１枚ずつ搬送する搬送部１３０と、筐体１０１の内部で紙幣を収納するとともに収納されている紙幣を繰出可能な複数の紙幣収納部１３４、１３６とを備えている。なお、図３において、筐体１０１の右側の側面が紙幣処理ユニット１１０の手前側の面であり、図３における左向きの方向が紙幣処理ユニット１１０の奥行き方向である。
【００３４】
図３に示すように、搬送部１３０は、筐体１０１の上部における中央位置に配置された周回搬送部１３０ａ及び複数の接続搬送部１３０ｂから構成されている。また、紙幣受入部１２０、紙幣払出部１２２、リジェクト部１２４、収納カセット３００を着脱自在に装着可能なカセット装着部１２６、回収カセット１４０及び２つの紙幣収納部１３４、１３６が、それぞれ、周回搬送部１３０ａを取り囲むよう配置されている。
【００３５】
また、図３に示すように、複数の接続搬送部１３０ｂの各々により、紙幣受入部１２０、紙幣払出部１２２、リジェクト部１２４、カセット装着部１２６、回収カセット１４０及び２つの紙幣収納部１３４、１３６の各々と、周回搬送部１３０ａとの間がそれぞれ接続されている。また、周回搬送部１３０ａには識別部１３２が設けられており、この識別部１３２は、周回搬送部１３０ａにより搬送される紙幣の金種、真偽、正損、表裏、搬送状態等の識別を行う。
【００３６】
周回搬送部１３０ａは、図３における時計回りの方向及び反時計回りの方向の両方向に紙幣を１枚ずつ搬送することができる。また、搬送部１３０において、周回搬送部１３０ａと各接続搬送部１３０ｂとの間で紙幣の搬送経路を切り換える経路切換部（図示せず）が、周回搬送部１３０ａに沿って配置されている。
【００３７】
図２及び図３に示すように、筐体１０１の前面には、紙幣受入部１２０の紙幣受入口１２０ａと、紙幣払出部１２２の紙幣取出口１２２ａとがそれぞれ設けられている。また、カセット装着部１２６の前面側には扉１２６ａが設けられており、この扉１２６ａを開くことにより収納カセット３００をカセット装着部１２６に装着させたり、このカセット装着部１２６から収納カセット３００を取り出したりすることができる。
【００３８】
紙幣受入部１２０には紙幣繰出機構１２１が設けられており、紙幣受入口１２０ａに１枚あるいは複数枚の紙幣が投入されたことが検知されると、紙幣繰出機構１２１が駆動されることにより、紙幣が接続搬送部１３０ｂを介して周回搬送部１３０ａ側へ１枚ずつ繰り出される。
【００３９】
紙幣払出部１２２は、各紙幣収納部１３４、１３６から周回搬送部１３０ａに繰り出された紙幣を紙幣取出口１２２ａにより筐体１０１の外部へ放出する。
【００４０】
リジェクト部１２４は、出金処理時において各紙幣収納部１３４、１３６から繰り出された紙幣のうち、重送や斜行等の搬送異常により識別部１３２で識別することができない紙幣を出金リジェクト紙幣として収納する。また、紙幣受入部１２０から筐体１０１の内部に取り込まれた紙幣のうち、入金処理時において汚損等により識別部１３２で識別することができない紙幣は入金リジェクト紙幣として紙幣払出部１２２に返却される。
【００４１】
さらに、リジェクト部１２４は、練習モードにおいて収納カセット３００から繰り出された一万円札の搬送先として用いられる。
【００４２】
各紙幣収納部１３４、１３６は、識別部１３２の識別結果に基づいて紙幣を金種別に収納する。これらの紙幣収納部１３４、１３６には、売上金入金機１００から出金されるべき紙幣が収納される。例えば、紙幣収納部１３４には千円札が収納され、紙幣収納部１３６には五千円札が収納される。なお、一万円札は後述する回収カセット１４０に収納される。また、各紙幣収納部１３４、１３６には、それぞれ紙幣繰出機構１３５、１３７が設けられており、これらの紙幣収納部１３４、１３６に収納されている紙幣は、各紙幣繰出機構１３５、１３７により接続搬送部１３０ｂを介して周回搬送部１３０ａ側へ１枚ずつ繰り出される。
【００４３】
筐体１０１の内部における下部領域には回収カセット１４０が収容されており、警送会社により回収されるべき紙幣が回収カセット１４０に収納される。具体的には、識別部１３２により識別された紙幣が周回搬送部１３０ａから接続搬送部１３０ｂを経て回収カセット１４０に送られる。また、回収カセット１４０の前面側には扉１４０ａが設けられており、この扉１４０ａを開くことにより回収カセット１４０を筐体１０１の内部に収容させたり筐体１０１の内部から回収カセット１４０を取り出したりすることができる。
【００４４】
次に、硬貨処理ユニット１５０の構成について説明する。図２及び図４に示すように、硬貨処理ユニット１５０は、筐体１０１の前面側の左側領域に設けられた硬貨受入部１５２と、筐体１０１の前面側において硬貨受入部１５２の下方に設けられた硬貨払出部１６６と、筐体１０１の内部で硬貨を収納するとともに収納されている硬貨を繰出可能な複数の収納繰出部１６０とを備えている。
【００４５】
硬貨受入部１５２は、硬貨投入口を介して受け入れた硬貨を１層１列状態で１枚ずつ筐体１０１内に取り込む。具体的には、硬貨受入部１５２には繰出ベルト等からなる硬貨繰出機構が設けられており、硬貨受入部１５２に受け入れられた硬貨を検知するとこの硬貨繰出機構が駆動されることにより、硬貨が筐体１０１の内部に１枚ずつ繰り出される。また、図４に示すように、硬貨受入部１５２には、当該硬貨受入部１５２により筐体１０１の内部に繰り出された硬貨を搬送する入金搬送部１５４が接続されている。
【００４６】
図４に示すように、入金搬送部１５４の途中には、硬貨の金種、真偽、正損、表裏、搬送状態等の識別を行う識別部１５６と、第１分岐部１５８とがそれぞれ設けられている。第１分岐部１５８は、識別部１５６による硬貨の識別結果に基づいて、硬貨払出部１６６から払い出されるべき硬貨（リジェクト硬貨等）を入金搬送部１５４から分岐させて出金搬送部１６２へ案内する。
【００４７】
一方、筐体１０１内に収納されるべき硬貨（正常硬貨等）は、入金搬送部１５４により各収納繰出部１６０へ搬送される。収納繰出部１６０は、硬貨を金種別に収納するとともに収納されている硬貨を繰出可能となるよう構成されている。例えば、日本国で流通している硬貨の６つの金種（５００円硬貨、１００円硬貨、５０円硬貨、１０円硬貨、５円硬貨及び１円硬貨）に対応して６つの収納繰出部１６０が設けられており、入金搬送部１５４の上流側（すなわち、図４における下側）から低額順に各収納繰出部１６０に硬貨が金種毎に収納される。また、収納繰出部１６０には、当該収納繰出部１６０に収納された硬貨を１枚ずつ出金搬送部１６２に繰り出す硬貨繰出機構（図示せず）が設けられている。
【００４８】
出金搬送部１６２は、収納繰出部１６０から繰り出された硬貨を硬貨払出部１６６へ搬送する。また、出金搬送部１６２は、第１分岐部１５８により入金搬送部１５４から分岐させられたリジェクト硬貨等を硬貨払出部１６６へ搬送する。
【００４９】
筐体１０１の内部における下部領域には回収カセット１７０が収容されており、警送会社により回収されるべき硬貨が回収カセット１７０に収納される。具体的には、図４に示すように、出金搬送部１６２の途中箇所には第２分岐部１６４が設けられており、当該第２分岐部１６４により出金搬送部１６２から分岐させられた硬貨が回収カセット１７０に送られて、この回収カセット１７０に収納される。また、回収カセット１７０の前面側には扉１７０ａが設けられており、この扉１７０ａを開くことにより回収カセット１７０を筐体１０１の内部に収容させたり筐体１０１の内部から回収カセット１７０を取り出したりすることができる。
【００５０】
次に、回収カセット１４０の構成について説明する。図５は、回収カセット１４０の外観構成を示す外観構成図である。図５に示すように、回収カセット１４０は、略直方体形状の筐体の上部にハンドル１４１を設けており、ハンドル１４１を把持して運搬することができる。また、回収カセット１４０は、表示部と操作受付部とを兼ねる表示操作部１４２、売上金入金機１００や貨幣処理装置２００などと通信接続するためのコネクタ１４３、貨幣の入出金のための入出金口１４５ａを有する。
【００５１】
図６は、回収カセット１４０の機能構成を示す機能ブロック図である。図６に示すように、回収カセット１４０は、表示操作部１４２、コネクタ１４３、無線通信部１４４、収納部１４５、記憶部１４６及び制御部１４７を有する。
【００５２】
表示操作部１４２は、例えば液晶タッチパネルディスプレイを用いればよい。コネクタ１４３は、外部の装置と有線接続を行う通信インタフェースである。無線通信部１４４は、外部の装置と無線通信を行う通信インタフェースである。外部の装置は、売上金入金機１００や貨幣処理装置２００の他、輸送担当者が携行する端末装置、輸送用車両に搭載される装置、店舗や現金センタに設置される各種装置などである。
【００５３】
収納部１４５は、入出金口１４５ａから投入された貨幣を収納する。また、繰り出し機構を設けて入出金口１４５ａから貨幣を繰り出し可能としてもよい。
【００５４】
記憶部１４６は、例えばフラッシュメモリなどであり、表示設定データ１４６ａ及びカセットデータ１４６ｂを有する。表示設定データ１４６ａは、収納された貨幣に係る情報や輸送に係る情報などの情報項目について、状況別の表示態様を規定するデータである。カセットデータ１４６ｂは、各情報項目の値を示す。
【００５５】
制御部１４７は、回収カセット１４０の全体を制御する制御部であり、アクセス検知部１４７ａ、コネクタ着脱検知部１４７ｂ及び表示制御部１４７ｃを有する。
【００５６】
アクセス検知部１４７ａは、カセットデータ１４６ｂに対する他の装置からのアクセスを検知する処理を行う。カセットデータ１４６ｂには、輸送開始時刻や輸送担当者などの情報項目が含まれており、これらの情報項目の値の更新は、回収カセット１４０の輸送が開始されるときにおこなわれる。このように、回収カセット１４０の状況（店舗にあるか、輸送中であるか、現金センタにあるか）が変化するタイミングでカセットデータ１４６ｂの更新が行われるため、カセットデータ１４６ｂへのアクセスを検知することで、回収カセット１４０の状況の変化を推定することができる。
【００５７】
コネクタ着脱検知部１４７ｂは、コネクタ１４３の着脱を検知する処理を行う。コネクタ１４３は、売上金入金機１００や貨幣処理装置２００などと接続されるため、その着脱を検知することで、回収カセット１４０の状況の変化を推定することができる。
【００５８】
表示制御部１４７ｃは、表示操作部１４２の表示制御を行う処理部である。表示制御部１４７ｃは、回収カセット１４０の状況に応じて表示操作部１４２に表示される情報の表示態様を変更する。回収カセット１４０の状況とは、回収カセット１４０が店舗にあるか、輸送中であるか、現金センタにあるか等である。
【００５９】
具体的には、表示制御部１４７ｃは、特定の操作の受付、コネクタ着脱、他の装置からの情報の受信、カセットデータ１４６ｂへのアクセスなどを検知して、表示態様を変更する。他の装置とは、売上金入金機１００、貨幣処理装置２００、輸送担当者が携行する端末装置、輸送用車両に搭載される装置、店舗や現金センタに設置される各種装置などである。また、他の装置から受信する情報としては、回収カセット１４０への入金処理や出金処理の開始、他の装置における扉の開閉、貨幣を入れる袋の密封処理の実行、他の装置における表示切替の操作の受付、空の収納部への貨幣の収納などを示す情報を用いることができる。なお、他の装置から受信する情報は、回収カセット１４０に対して出力された物であっても良いが、他の装置の動作に伴って出力された情報を適宜受信して用いることも可能である。
【００６０】
表示制御部１４７ｃは、情報項目を表示するか否かを変更する。さらに、表示制御部１４７ｃは、強調表示やコード表示を行うことができる。強調表示は、文字サイズ変更、文字色変更、フォント変更、点滅などにより行えばよい。また、コード表示は、情報項目をバーコードや二次元コードに変換して表示することで行う。コード表示された情報項目を読み取るためには、デコードが可能な装置（例えばカメラ付スマートフォンなど）が必要となるので、情報の漏洩防止に寄与することができる。
【００６１】
次に、情報項目と表示設定の具体例について説明する。図７は、情報項目と表示設定の具体例の説明図である。図７に示すように、情報項目には、基本項目、店舗項目、輸送項目、現金センタ項目が含まれる。
【００６２】
基本項目は、回収カセット１４０の状況（店舗、輸送中、現金センタ）を問わない項目であり、カセットＩＤや日付を含む。店舗項目は、店舗に関する項目であり、回収時刻、店舗名、店舗担当者、収納金額、金種別枚数、収納金種別を含む。収納金種別は、売上金、釣銭準備金などである。輸送項目は、輸送に関する項目であり、輸送開始時刻、輸送担当者、輸送先、輸送完了時刻を含む。現金センタ項目は、現金センタに関する項目であり、現金センタ担当者を含む。
【００６３】
それぞれの情報項目は、状況別の表示態様が規定されている。図７では、カセットＩＤと日付は常に通常表示となっている。回収時刻は、状況「店舗」で通常表示、状況「輸送中」で非表示、状況「現金センタ」で非表示である。店舗名は、全ての状況において通常表示である。店舗担当者は、状況「店舗」で通常表示、状況「輸送中」で非表示、状況「現金センタ」で非表示である。
【００６４】
収納金額は、状況「店舗」で強調表示、状況「輸送中」で非表示、状況「現金センタ」で通常表示である。金種別枚数は、状況「店舗」で非表示、状況「輸送中」で非表示、状況「現金センタ」で通常表示である。収納金種別は、状況「店舗」で通常表示、状況「輸送中」でコード表示、状況「現金センタ」で通常表示である。
【００６５】
輸送開始時刻は、状況「店舗」で非表示、状況「輸送中」で通常表示、状況「現金センタ」で非表示である。輸送担当者は、状況「店舗」で非表示、状況「輸送中」で通常表示、状況「現金センタ」で非表示である。輸送先は、状況「店舗」で通常表示、状況「輸送中」で強調表示、状況「現金センタ」で非表示である。輸送完了時刻は、状況「店舗」で非表示、状況「輸送中」で非表示、状況「現金センタ」で通常表示である。現金センタ担当者は、状況「店舗」で非表示、状況「輸送中」で非表示、状況「現金センタ」で通常表示である。
【００６６】
図８は、表示態様の変更の条件についての説明図である。図８に示すように、表示操作部１４２により操作を受け付けた場合には、その操作によって回収カセット１４０の状況を「店舗」、「輸送中」、「現金センタ」のいずれかに変更し、表示態様を変更する。また、コネクタ１４３の取り外しを検知したならば、状況が「輸送中」となったと推定して、表示態様を変更する。さらに、外されたコネクタ１４３が再度装着されたならば、状況が「現金センタ」となったと推定して、表示態様を変更する。なお、ここでは、コネクタの装着の有無のみを用いる場合を示したが、装着先を識別して表示態様の変更に用いることも可能である。例えば、回収カセットの記憶部１４６にて、回収カセット１４０の差込み先（例えば、識別コードＸＸの貨幣処理装置のカセット収納部Ｎ番）を記憶しておき、コネクタ１４３が再度装着された際に、再装着先と前記差込み先が一致する場合に、状況が「現金センタ」となったと推定して、表示態様を変更してもよい。また別の形態として、元々装着されていた差込み先と再装着先が異なることを条件として、状況が「現金センタ」となったと推定して、表示態様を変更してもよい。
【００６７】
また、売上金入金機１００から情報を受信したならば、状況が「店舗」であると推定して、表示態様を変更する。同様に、輸送担当者の端末装置から情報を受信したならば、状況が「輸送中」であると推定して、表示態様を変更する。さらに、貨幣処理装置２００から情報を受信したならば、状況が「現金センタ」であると推定して、表示態様を変更する。
【００６８】
また、カセットデータ１４６ｂの店舗項目にアクセスがあったならば、状況が「店舗」であると推定して、表示態様を変更する。同様に、カセットデータ１４６ｂの輸送項目にアクセスがあったならば、状況が「輸送中」であると推定して、表示態様を変更する。さらに、カセットデータ１４６ｂの現金センタ項目にアクセスがあったならば、状況が「現金センタ」であると推定して、表示態様を変更する。
【００６９】
＜処理の説明＞
図９は、表示の具体例についての説明図である。図９（ａ）は、店舗における表示操作部１４２の表示を示しており、カセットＩＤ、店舗名、店舗担当者、収納金額などの情報項目を表示している。ここで、収納金額は、他の情報項目よりも文字サイズを大きくし、フォントを異ならせることで強調表示を実現している。
【００７０】
図９（ｂ）は、輸送中における表示操作部１４２の表示を示しており、カセットＩＤ、店舗名、輸送担当者、輸送先、収納金種別などの情報項目を表示している。ここで、輸送先は、他の情報項目よりも文字サイズを大きくし、フォントを異ならせることで強調表示を実現している。また、収納金種別については、二次元コードとして表示している。そして、輸送中の表示操作部１４２では、店舗担当者や収納金額が非表示となっている。
【００７１】
図９（ｃ）は、現金センタにおける表示操作部１４２の表示を示しており、カセットＩＤ、店舗名、収納金額、金種別枚数などの情報項目を表示している。現金センタにおける表示操作部１４２では、輸送担当者や輸送機が非表示となっている。
【００７２】
図１０は、回収カセット１４０の処理手順を示すフローチャートである。まず、回収カセット１４０は、売上金入金機１００に装着された状態で、紙幣を収納部１４５に収納する処理を行う（ステップＳ１０１）。また、表示操作部１４２には、状況「店舗」に応じた店舗用の態様で表示制御を行う（ステップＳ１０２）。
【００７３】
表示制御部１４７ｃは、状況が「輸送中」となったか、すなわち輸送が開始されたか否かを判定し（ステップＳ１０３）、輸送が開始されていなければ（ステップＳ１０３；Ｎｏ）、ステップＳ１０１に移行する。
【００７４】
輸送が開始されたならば（ステップＳ１０３；Ｙｅｓ）、表示制御部１４７ｃは、状況「輸送中」に応じた輸送用の態様で表示制御を行う（ステップＳ１０４）。その後、表示制御部１４７ｃは、状況が「現金センタ」となったか、すなわち輸送が完了したか否かを判定し（ステップＳ１０５）、輸送が完了していなければ（ステップＳ１０５；Ｎｏ）、ステップＳ１０４に移行する。輸送が完了したならば（ステップＳ１０５；Ｙｅｓ）、表示制御部１４７ｃは、状況「現金センタ」に応じた現金センタ用の態様で表示制御を行って（ステップＳ１０６）、処理を終了する。
【００７５】
上述してきたように、本実施例では、回収カセット１４０は、収納された貨幣に係る情報や貨幣の輸送に係る情報を表示する表示部と備え、表示部により表示される情報の表示態様を変更する。このため、有価媒体の輸送時に適切な情報を表示することができる。
【００７６】
具体的には、回収カセット１４０は、受け付けた操作に基づき、表示態様を変更することができる。また、他の装置と接続するためのコネクタの着脱を検知したときに、表示態様を変更することができる。また、他の装置から受信した情報に基づき、表示態様を変更することができる。また、回収カセット１４０は、収納部に収納された有価媒体に係る情報や有価媒体の輸送に係る情報を記憶し、他の装置からのアクセスを検知したときに表示態様を変更することができる。
【００７７】
また、回収カセット１４０は、情報の表示、非表示、強調表示、コード化画像としての表示などを行うことが可能である。また、対象となる情報は、運搬の担当者、収納されている有価媒体の金額に係る情報 、有価媒体の輸送元、有価媒体の輸送先、回収カセット１４０の識別コードとしてのカセットＩＤなどを含めることができる。
【００７８】
なお、表示操作部１４２などをユニット化し、回収カセット１４０から着脱可能としてもよい。着脱可能なユニットには、表示操作部１４２のみを含めても良いし、記憶部１４６、制御部１４７、無線通信部１４４の一部又は全てを含めることもできる。なお、収納部１４５については回収カセット１４０側とすることが望ましい。このように、表示操作部１４２などをユニット化して着脱可能とすることにより、収納部１４５が品質的に限界となっても、表示操作部１４２などは再利用することができる。または、表示操作部１４２などが品質的に限界となっても、収納部１４５は再利用することができる。
【００７９】
また、本実施例では、収納金額と金種別枚数を情報項目とする場合を例に説明を行ったが、金種別の枚数などを用いることも可能であり、情報項目は適宜変更することができる。例えば、真偽判別済フラグ、精査済みフラグ、回収カセット１４０の差込み先、有価媒体の備考情報などを情報項目としてもよい。回収カセット１４０の差込み先としては、例えば貨幣処理装置などの装置を特定する識別コードと、その装置のカセット収納部を特定する番号との組み合わせを用いればよい。
【００８０】
また、本実施例では、コネクタ１４３の着脱検知する場合を例示したが、コネクタ１４３の接続先を識別して状況の推定に用いることもできる。また、情報項目の出力は、表示出力に限らず、音声出力を用いることも可能である。
【００８１】
また、本実施例では、無線通信部１４４を他の装置からの情報の取得に用いる構成を例示したが、無線通信部１４４がカセットデータ１４６ｂを他の装置に送信する構成としてもよい。かかる構成では、収納金額や金種別枚数を貨幣処理装置２００に送信し、貨幣処理装置２００が計数結果と比較可能となる。
【００８２】
また、回収カセット１４０の収納部１４５は、集積型カセットでもよいし、テープ式収納部でもよい。また、貨幣をいれた袋を密封する形式であってもよい。
【００８３】
また、状況に応じて表示を消し、電力消費を低減しても良い。例えば、回収カセット１４０を貨幣処理装置２００に装着して扉が閉められ、表示が視認できない状態となったならば、表示を消すことが望ましい。
【００８４】
また、本実施例では、店舗の売上を現金センタに輸送する場合を例に説明を行ったが、本発明はこれに限定されるものでは無く、現金センタなどから店舗に釣銭準備金などを輸送する場合にも適用できる。さらに、金融機関から所定の機関に有価媒体を輸送する場合等にも広く適用可能である。
【００８５】
また、本実施例で図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【００８６】
本発明の有価媒体輸送装置、有価媒体輸送システム、有価媒体輸送方法及び有価媒体処理システムは、有価媒体の輸送時に適切な情報を表示すること操作者に対して貨幣の入出金に関する練習を効率良く行わせることに有用である。
【符号の説明】
【００８７】
１００  売上金入金機
１０１  筐体
１０４、１４２  表示操作部
１１０  紙幣処理ユニット
１２０  紙幣受入部
１２０ａ  紙幣受入口
１２１  紙幣繰出機構
１２２  紙幣払出部
１２２ａ  紙幣取出口
１２４  リジェクト部
１２６  カセット装着部
１２６ａ、１４０ａ  扉
１３０  搬送部
１３０ａ  周回搬送部
１３０ｂ  接続搬送部
１３２、１５６  識別部
１３４、１３６  紙幣収納部
１３５、１３７  紙幣繰出機構
１４０、１７０  回収カセット
１４１  ハンドル
１４３  コネクタ
１４４  無線通信部
１４５  収納部
１４５ａ  入出金口
１４６  記憶部
１４６ａ  表示設定データ
１４６ｂ  カセットデータ
１４７  制御部
１４７ａ  アクセス検知部
１４７ｂ  コネクタ着脱検知部
１４７ｃ  表示制御部
１５０  硬貨処理ユニット
１５２  硬貨受入部
１５４  入金搬送部
１５８  第１分岐部
１６０  収納繰出部
１６２  出金搬送部
１６４  第２分岐部
１６６  硬貨払出部
１８０  包装硬貨収納ユニット
２００  釣銭機
３００  収納カセット
【図１】
2020077217.tif 000003
【図２】
2020077217.tif 000004
【図３】
2020077217.tif 000005
【図４】
2020077217.tif 000006
【図５】
2020077217.tif 000007
【図６】
2020077217.tif 000008
【図７】
2020077217.tif 000009
【図８】
2020077217.tif 000010
【図９】
2020077217.tif 000011
【図１０】
2020077217.tif 000012